(57)【特許請求の範囲】
【請求項１】
先端に肛門挿入部を有する便収容部を備えた水溶性の容器と、この容器が差込み、又は引抜きができる筒部を備えたホルダー本体でなり、この肛門挿入部が、前記ホルダー本体の筒部の開口端より突出する構成とした簡易型便吸引器具であって、
この容器は、便収容部の底に開口を備えるとともに、この容器の底は、前記ホルダー本体の筒部にスライド可能に設けた操作杆に押圧される構成とし、
また、前記ホルダー本体には、ポンプと、このポンプに連設した、前記容器の開口に連設する導入管と、前記ポンプを駆動する駆動部を内装し、また、このホルダー本体には、前記ポンプを制御するスイッチと、前記便収容部への便の吸引を確認するためののぞき窓を設ける構成とした簡易型便吸引器具。
【請求項２】
請求項１に記載の簡易型便吸引器具であって、
前記容器の開口には、環状の鍔片を突設し、この鍔片に口金を嵌着し、この口金を、前記導入管の口部に連結する構成とした簡易型便吸引器具。
【請求項３】
請求項１に記載の簡易型便吸引器具であって、
前記ホルダー本体に、補助ハンドルを突設する構成とした簡易型便吸引器具。
【請求項４】
請求項１に記載の簡易型便吸引器具であって、
前記容器の肛門挿入部が、この容器の便収容部に対して、溶ける時間が、短くなる構成とした簡易型便吸引器具。
【請求項５】
請求項１に記載の簡易型便吸引器具であって、
前記駆動部の電源を、電池とする構成とした簡易型便吸引器具。
【請求項６】
請求項１に記載の簡易型便吸引器具であって、
前記ホルダー本体は、先端に開口を備えた筒部と、この筒部の後部に設けた本体部、並びにこの本体部に設け、かつ前記筒部の下側に設けたグリップ部とでなる構成とした簡易型便吸引器具。
【発明の詳細な説明】
【技術分野】
【０００１】
本発明は、吸引式で、かつ簡易に持ち運びができる簡易型便吸引器具に関する。
【背景技術】
【０００２】
本発明の簡易型便吸引器具を必要とする人は、例えば、便秘症、また、妊娠中の女性、出産後の女性、又は病弱な人や、虚弱体質の人、術後の人等で、殊に腹筋力が弱い人、その他、高齢者、また寝たきり患者、障害者、病弱者等の自由が利かない人の如く、排便に難渋する人々である。そして、この簡易型便吸引器具として要望される構造及び／又は目的は、これらの人々でも可能な使用の簡便化と、器具としての経済性、又は構造の簡略化等が挙げられる。
【０００３】
上記に鑑み、この簡易型便吸引器具に関連がある機器を、先行文献から、ピックアックすると、下記の各文献が挙げられるので、その概要を説明する。
【０００４】
文献（１）は、特開２００６−３４５７７の「排便器具」である。この発明は、便の排出路を構成する筒体の筒壁内に液路を開設するとともに、この液路の噴水口を、前記筒壁の上端に開設し、この液路と噴水口を介して、温水タンクの液体を直腸内の便へ向けて噴水し、便を軟化するとともに、この筒体を介して、下部に装置した収容袋に、便を吸込み収容する構造であって、操作性を維持しつつ、低コストに実施できる宿便の排出に好適な排便器具を提供することを意図する。
【０００５】
また文献（２）は、特開２００２−３４８５５の「真空式排便乾燥器」である。この発明は、寝たままの状態の患者の肛門に挿入できるやや大形の排便吸引口を、真空ホース、排便タンク等を介して、真空ポンプに接続し、この真空ポンプを低速で運転し、弱い真空状態で排便、吸引を行い、肛門の内外を汚染せずに清潔に排便が行えること、また、排便完了し、かつ排便吸引口を抜去した後に、真空ポンプの高速運転でホース内部を高速気流で清掃し、更に真空ポンプを運転して排便タンク内部の高い真空度、及び水分蒸発で、汚物を乾燥固化する構造であり、高齢化社会における寝たきりで、身体不自由な人や高齢者の排便、排尿を、人手を煩わさず、簡単、かつ清潔に行えるようにし、また、汚物の後処理も衛生的に、かつ容易にできるようにする。
【０００６】
さらに文献（３）は、特開２００１−２５９０１９の「採便器」である。この発明は、筒体内にパイプ状の棒状体を進退自在に取付け、この棒状体の先端部に膨縮自在の掻込袋体を取付け、棒状体の基端部に逆止弁付空気注入口を設け、また筒体の先端部に、膨縮自在の環状バルーンを取付け、この筒体を肛門に挿入した後に、環状バルーンを膨らませて肛門に固定し、逆止弁付空気注入口から手押しポンプで空気を圧送して掻込袋体を膨らませて進退させて便を筒体内に取込む構成であり、直腸から排出されない便を、簡単な構造で安全、かつ安価に採便・排便できる器具・装置を提供する。
【０００７】
また、文献（４）は、特開平６−３４３６９３号の「ハンディー快便装置」である。この発明は、加圧水装置に連結する注水ホースと、真空装置に連結する吸引ホースとの先端に、それぞれ肛門挿入用ノズルを設け、またこの両ホース開閉用のバルブを操作するレバーと、この吸引ホースの通路内に介在させた便採集カップを、把持部の近くに設け、この把持部を持って、前記両レバーを操作し、かつ両ホースによって肛門挿入用ノズルを介して、肛門内に注水しながら肛門内の便を吸引し、便採集カップに容易に採取できる構成であり、病弱等の理由によって排便が自分でできない患者等に対して、容易に快便化が図れる快便装置を提供する。
【０００８】
【特許文献１】特開２００６−３４５７７
【特許文献２】特開２００２−３４８５５
【特許文献３】特開２００１−２５９０１９
【特許文献４】特開平６−３４３６９３号
【発明の開示】
【発明が解決しようとする課題】
【０００９】
前記文献（１）は、給水チューブと、吸引チューブを利用し、便を軟弱にした後に、収容袋に収容する構造であり、有益であるが、二回の作業となり、慣れるのに時間、及び／又は経験を要すること、またとっさの時に、間に合わないこと等の改良すべき点がある。そして、このような構造、及び／又は二回の作業では、携帯用、及び／又は簡易型便吸引器具として採用するには、望ましくないと考えられる。また、この文献（１）は、収容袋が、水溶性で構成されていないことから、例えば、そのまま便器に流すことができず、その処理に困ることが考えられる。
【００１０】
また文献（２）は、排便タンクの真空度を調整し、汚物を乾燥処理する構造であり、完全に汚物を処理することから、有益であるが、構造が複雑となること、また、慣れるのに時間、及び／又は経験を要すること、またとっさの時に、間に合わないこと等の改良すべき点がある。さらに、文献（１）と同様に、携帯用、及び／又は手持ち式の排便乾燥器としての利用と、又は排便タンクが、水溶性で構成されていないこと等の面からの改良が要望される。
【００１１】
さらに文献（３）は、筒体の先端に環状バルーンを設け、この筒体を、肛門に固定し、またこの筒体に設けた掻込袋体（掻取り袋体）を介して、便を掻取り、この筒体に吸引する構造であり、有益であるが、構造が複雑となること、また、慣れるのに時間、及び／又は経験を要すること、またとっさの時に、間に合わないこと等の改良すべき点がある。そして、また、環状バルーンを、肛門に固定する構造であり、術後の人には、使用が困難視されること、並びに汎用性の面から、いささか、問題を抱えているものと、考えられる。さらに、文献（１）と同様に、携帯用、及び／又は手持ち式の採便器としての利用と、又は掻取り袋体が、水溶性で構成されていないこと等の面からの改良が要望される。
【００１２】
続いて、文献（４）は、注水ホースと、吸引ホースを利用し、注水しながら便を軟弱にし、その後に、便採集カップに収容する構造であり、有益であるが、それぞれのレバーを介しての作業となり、慣れるのに時間、及び／又は経験を要すること、またとっさの時に、間に合わないこと等の改良すべき点がある。また、文献（１）と同様に、携帯用、及び／又は手持ち式の快便装置としての利用と、又は便採集カップが、水溶性で構成されていないこと等の面からの改良が要望される。
【課題を解決するための手段】
【００１３】
請求項１の発明は、携帯用、及び／又は簡易型便吸引器具としての利用を図り、かつ容器を、水溶性で構成することで、便器に直接、廃棄可能とすること、又はその取扱の容易化を図ること、等を意図する。また、請求項１の発明は、何人も、確実に操作ができ、失敗のない構造の簡易型便吸引器具を提供することを意図する。
【００１４】
請求項１は、先端に肛門挿入部を有する便収容部を備えた水溶性の容器と、この容器が差込み、又は引抜きができる筒部を備えたホルダー本体でなり、この肛門挿入部が、前記ホルダー本体の筒部の開口端より突出する構成とした簡易型便吸引器具であって、
この容器は、便収容部の底に開口を備えるとともに、この容器の底は、前記ホルダー本体の筒部にスライド可能に設けた操作杆に押圧される構成とし、
また、前記ホルダー本体には、ポンプと、このポンプに連設した、前記容器の開口に連設する導入管と、前記ポンプを駆動する駆動部を内装し、また、このホルダー本体には、前記ポンプを制御するスイッチと、前記便収容部への便の吸引を確認するためののぞき窓を設ける構成とした簡易型便吸引器具である。
【００１５】
請求項２の発明は、請求項１の目的を達成すること、この目的を達成するに最適なポンプと、導入管、並びに容器の連繋構造を、提供することを意図する。
【００１６】
請求項２は、請求項１に記載の簡易型便吸引器具であって、
前記容器の開口には、環状の鍔片を突設し、この鍔片に口金を嵌着し、この口金を、前記導入管の口部に連結する構成とした簡易型便吸引器具である。
【００１７】
請求項３の発明は、請求項１の目的を達成すること、この目的を達成するに最適なホルダー本体の構造を、提供することを意図する。
【００１８】
請求項３は、請求項１に記載の簡易型便吸引器具であって、
前記ホルダー本体に、補助ハンドルを突設する構成とした簡易型便吸引器具である。
【００１９】
請求項４の発明は、請求項１の目的を達成すること、この目的を達成するに最適な肛門挿入部の構造を、提供することを意図する。
【００２０】
請求項４は、請求項１に記載の簡易型便吸引器具であって、
前記容器の肛門挿入部が、この容器の便収容部に対して、溶ける時間が、短くなる構成とした簡易型便吸引器具である。
【００２１】
請求項５の発明は、請求項１の目的を達成すること、この目的を達成するに最適な選択された駆動部（電源）の構造を、提供することを意図する。
【００２２】
請求項５は、請求項１に記載の簡易型便吸引器具であって、
前記駆動部の電源を、電池とする構成とした簡易型便吸引器具である。
【００２３】
請求項６の発明は、請求項１の目的を達成すること、この目的を達成するに最適なホルダー本体の構造を、提供することを意図する。
【００２４】
請求項６は、請求項１に記載の簡易型便吸引器具であって、
前記ホルダー本体は、先端に開口を備えた筒部と、この筒部の後部に設けた本体部、並びにこの本体部に設け、かつ前記筒部の下側に設けたグリップ部とでなる構成とした簡易型便吸引器具である。
【発明の効果】
【００２５】
請求項１の発明は、先端に肛門挿入部を有する便収容部を備えた水溶性の容器と、容器が差込み、又は引抜きができる筒部を備えたホルダー本体でなり、肛門挿入部が、ホルダー本体の筒部の開口端より突出する構成とした簡易型便吸引器具であって、
容器は、便収容部の底に開口を備えるとともに、容器の底は、前記ホルダー本体の筒部にスライド可能に設けた操作杆に押圧される構成とし、
また、ホルダー本体には、ポンプと、ポンプに連設した、容器の開口に連設する導入管と、ポンプを駆動する駆動部を内装し、また、ホルダー本体には、ポンプを制御するスイッチと、便収容部への便の吸引を確認するためののぞき窓を設ける構成とした簡易型便吸引器具である。
【００２６】
従って、請求項１は、携帯用、及び／又は簡易型便吸引器具としての利用が図れ、かつ容器を、水溶性で構成することで、便器に直接、廃棄できること、又はその取扱の容易化が図れること、等の特徴を有する。また、請求項１は、何人も、確実に操作ができ、失敗のない構造の簡易型便吸引器具を提供できる実益を有する。
【００２７】
請求項２の発明は、請求項１に記載の簡易型便吸引器具であって、
容器の開口には、環状の鍔片を突設し、鍔片に口金を嵌着し、口金を、導入管の口部に連結する構成とした簡易型便吸引器具である。
【００２８】
従って、請求項２は、請求項１の目的を達成できること、この目的を達成するに最適なポンプと、導入管、並びに容器の連繋構造を、提供できること等の特徴を有する。
【００２９】
請求項３の発明は、請求項１に記載の簡易型便吸引器具であって、
ホルダー本体に、補助ハンドルを突設する構成とした簡易型便吸引器具である。
【００３０】
従って、請求項３は、請求項１の目的を達成できること、この目的を達成するに最適なホルダー本体の構造を、提供できること等の特徴を有する。
【００３１】
請求項３は、請求項１に記載の簡易型便吸引器具であって、
前記ホルダー本体に、補助ハンドルを突設する構成とした簡易型便吸引器具である。
【００３２】
請求項４の発明は、請求項１に記載の簡易型便吸引器具であって、
容器の肛門挿入部が、容器の便収容部に対して、溶ける時間が、短くなる構成とした簡易型便吸引器具である。
【００３３】
従って、請求項４は、請求項１の目的を達成できること、この目的を達成するに最適な肛門挿入部の構造を、提供できること等の特徴を有する。
【００３４】
請求項５の発明は、請求項１に記載の簡易型便吸引器具であって、
駆動部の電源を、電池とする構成とした簡易型便吸引器具である。
【００３５】
従って、請求項５は、請求項１の目的を達成できること、この目的を達成するに最適な選択された駆動部（電源）の構造を、提供できること等の特徴を有する。
【００３６】
請求項６は、請求項１に記載の簡易型便吸引器具であって、
ホルダー本体は、先端に開口を備えた筒部と、筒部の後部に設けた本体部、並びに本体部に設け、かつ筒部の下側に設けたグリップ部とでなる構成とした簡易型便吸引器具である。
【００３７】
従って、請求項６は、請求項１の目的を達成できること、この目的を達成するに最適なホルダー本体の構造を、提供できること等の特徴を有する。
【発明を実施するための最良の形態】
【００３８】
本発明の一例を説明する。
【００３９】
図面の説明をすると、図１−１は、本発明の簡易型便吸引器具の使用状態を示した縮尺模式図、図１−２は、本発明の他の簡易型便吸引器具の使用状態を示した縮尺模式図、図１−３は、本発明の別の簡易型便吸引器具の使用状態を示した縮尺模式図、図２は、簡易型便吸引器具の全体斜視図、図３は、簡易型便吸引器具の全体断面図、図４は、簡易型便吸引器具の要部で、容器と、口金、並びに導入管等の関係を示した拡大断面図、図５は、簡易型便吸引器具に採用される容器の一例を示した一部欠截の平面図である。
【００４０】
図１〜図５において、図中１は便の収容を目的とし、かつ便器（図示せず）で溶ける（融ける）水溶性の容器で、この容器１は先端１ａに弾丸形の密封式の肛門挿入部２を、この先端１ａの後方１ｂに筒形の便収容部３を備え、その底１ｃに鍔片５ａを備えた開口５を設けた構造である。尚、この肛門挿入部２は、便収容部３より薄肉、又は溶解性のよい部材（オブラート等の水溶性の素材や、ヒアルロン酸、コンドロイチン等の人体に存在する高分子素材等）とし、人Ｈの肛門Ｈ１に挿入後に、体温及び／又は水等で溶ける構造とする。従って、この肛門挿入部２の挿入の容易化と、違和感なく、かつ痛みもなく挿入可能となる利点がある。尚、鍔片５ａの先端は、拡開した開口５ｂとなっており、後述する口金の挿入を、容易にするとともに、確実な取付けを図る（便漏れ、空気漏れ等の漏れをなくす）。
【００４１】
そして、望ましくは、この容器１は、体裁と、美観、又は羞恥心の保護等を目的に、一部のみ視認できる構造とする。その一例としては、色分けにより、一部のみを視認可能とする構造で、例えば、透明と、色付けによるもの、材質の濃淡、形状の凹凸（ぼかし、梨子地の有無）等によるものが考えられる。さらに、図示しない他の容器等に、この一部のみ視認可能な構造を採用することも可能である。尚、この容器１は、後述するホルダー本体の筒部より、突出する構造とし、使用時の肛門へのホルダー本体の筒部の衝撃緩和と、安心感を付与することが望ましい。尚、図示しないが、容器１は大中小の如く、容量を変更し、使用の利便性と、排便の状況（正常便、軟便等に対応可能とする）、嵩の希望・携帯の対応等を考量することが望ましい。
【００４２】
また、図中７は簡易型便吸引器具の主体をなす硬性のホルダー本体で、このホルダー本体７は、人Ｈの手で保持できる寸法と、形状とを備えている。そして、このホルダー本体７は、前記容器１が差込み、又は引抜きができる筒部８と、この筒部８の下側に設けたグリップ部９とで構成する。尚、このグリップ部９は、筒部８に対して、移動可能に設けて、使用者の手の大小、利き手、又は障害者等の使用に対応することが望ましい（図１−２、図１−３参照）。また、前述の如く、容器１の先端１ａ、及び／又は肛門挿入部２が、筒部８の開口８ａ端より突出する構成となっている。
【００４３】
そして、このホルダー本体７の筒部８の後部（本体部）及び／又はグリップ部９には、ポンプ１０ａと、ポンプ１０ａに連設した、容器１の底１ｃの開口５に連設するホース、管等の導入管１１（吸引管）と、ポンプ１０ａ及び／又はモータ１０ｂ（バキューム機構）を駆動する駆動部１２を内装し、また、ホルダー本体７のグリップ部９には、ポンプ１０ａを制御するスイッチ１４（吸引空気調整グリップ）を、グリップ部９の絞り部にそれぞれ設けられている。図中１５はコードで、このコード１５により、ポンプ１０ａと、制御部と、スイッチ１４に接続する部材と、駆動部１２とを接続する。従って、スイッチ１４を操作することで、駆動部１２を介して、ポンプ１０ａが作動する構造であり、このポンプ１０ａによる吸込みと、その停止、並びに吸込み量の調整を図る。また図中１７は排気管で、ポンプ１０ａからの排気を、器具外に排出する。そして、図中１８は握り易い形状の補助ハンドルで、この補助ハンドル１８は、筒部８の後部や、グリップ部９の上部に突設し、この補助ハンドル１８を利用し、器具を確実、かつ安定的に、保持可能とする。またこの補助ハンドル１８は複数本の場合もあり得る。尚、図中２０は、導入管１１に設けた逆止弁、また、２１は、排気管１７に設けた逆止弁、をそれぞれ示す。また、駆動部１２が、乾電池、バッテリーでは、グリップ部９の下側から装着可能とし、図示しない孔と蓋を利用する。このように、ホルダー本体７を、筒部８と、本体部、及びグリップ部９で構成することで、手持ち式として形態と、大きさを確保できる。尚、前記導入管１１に、ホースを採用する例では、ポンプ１０ａの設置箇所の容易化、流動化、軽量化が図れ、また管等の鋼管等の場合には、ポンプ１０ａの設置の容易性、ホルダー本体７の強度の向上が図れることが考えられる。
【００４４】
尚、図２において、ホルダー本体７の筒部８には、のぞき窓２２（一部視認の達成も考慮する）を一条、又は対峙して二条を設ける構造とし、容器１への便の収容の視認性と、こののぞき窓２２を利用し、操作杆２３を付設する構造とし、筒部８に挿入した容器１の脱抜に利用する。例えば、図３に示した如く、この操作杆２３が、容器１の底１ｃを押圧する構造を採用する場合には、この操作杆２３の中心側が、底１ｃの開口５まで延設形成する。これにより、力を掛けずに、筒部８より容器１を脱抜できる特徴と、又は容器１を、筒部８の所定位置に、確実かつ容易に挿入でき、しかも肛門挿入部２を、筒部８の開口８ａ端より、確実かつ容易に突出できる等の特徴を有する。そして、この操作杆２３と、のぞき窓２２の構造を採用することで、この器具の機能を確実に達成でき、かつ確実な便の収容、並びに人Ｈに対して、優しい簡易型便吸引器具を提供できる。尚、前記のぞき窓２２を設ける箇所及び／又は条数等は限定されない。
【００４５】
また、図４に示した容器１の鍔片５ａ（開口５及び開口５ｂ）と、ホルダー本体７に設けた導入管１１（開口１１ａ）とを、口金２５を介して接続する構造であり、この口金２５の構造を説明すると、口金２５はシリコン樹脂を使用し、可撓性と洗浄対応形とする。そして、この口金２５は、軸方向の両側が開口２５ａ、２５ｂしており、また一方側がノズル２６で、他方側が口部２７の構造とし、ノズル２６が鍔片５ａ内に嵌入し、また口部２７が導入管１１の差込み部１１ｂに被嵌される。この嵌入と被嵌を介して、容器１の開口５（開口５ｂ）と、導入管１１の開口１１ａ（差込み部１１ｂ）を、水密状に接合する。そして、容器１の鍔片５ａにノズル２６が挿入される構造を採用することで、この容器１を、筒部８に差込む過程で、容器１の鍔片５ａ内にノズル２６が自動的に、かつスムーズに差込まれる構造である。また、この口金２５の脱抜を防止するための一例とし、この図４に示した構造とする。即ち、口部２７に凹凸絞り部２７ａを設けるとともに、この差込み部１１ｂに凹凸段部１１ｂ１を設ける。そして、この凹凸絞り部２７ａと、凹凸段部１１ｂ１を利用し、この口部２７と差込み部１１ｂを、凹凸嵌合構造で、水密とする。また、この口金２５は、筒部８の空間及び／又は操作杆２３の中心に形成された隙間を介して、着脱自在とし、故障、汚染等の必要時に対応する。尚、この口金２５は、設ける望ましいが、限定されない。また、この口金２５は、導入管１１に一体構造とし、構造の簡略化、コストの低廉化、又は取扱の容易化等を達成することも可能である。
【００４６】
次に、本発明の使用の一例を説明すると、必要により、オイル、薬剤を塗布した容器１、ホルダー本体７の筒部８に差込み、この容器１の底１ｃを、操作杆２３に衝止するとともに、底１ｃに設けた鍔片５ａ内に、口金２５のノズル２６が差込まれる。この段階で、容器１がセットされるとともに、容器１の肛門挿入部２が、筒部８の開口８ａ端より突出する。この操作で、容器１が、ホルダー本体７にセットされる。この状態において、容器１の肛門挿入部２を、人Ｈの肛門Ｈ１に挿入すると、この肛門挿入部２が、人Ｈの体温及び／又は水分・液により溶解する。これにより、容器１の便収容部３への便の取込みが可能であるので、続いて、強弱を調整可能としたスイッチ１４を、オン（操作）し、ポンプ１０ａを駆動し、導入管１１と、口金２５を介して、一方の逆止弁２０を開放側に可動し、人Ｈ内の便を、オイル等を利用し、スムーズに、又は肛門Ｈ１に刺激を与えずに吸引み、かつ排気管１７を介して、他方の逆止弁２１を開放側に可動し、排気する。
【００４７】
この吸引及び排気を介して、順次、便を便収容部３に収容する。この収容状態を、のぞき窓２２を介して確認し、便の収容が終了した時点で、スイッチ１４をオフ（停止）した後に（吸込の最終限度の調整を可能とし、かつ容器１に満杯の状態では、強制停止することが望ましい）、容器１を取外す（引抜く）が、その操作を次に説明する。
【００４８】
先ず、操作杆２３に指を掛け、順次、筒部８の開口ａに向かって、かつこの移動にのぞき窓２２に沿って移動する。この移動で、容器１が、開口８ａより略半分程度、突出した時を見計らって、空いてる方の指で、容器１を掴み、便器内に投棄する。そして、数分後に、容器１が溶けるので、水を流して、配管及びタンク内に導き、全ての処理が終了する。
【図面の簡単な説明】
【００４９】
【図１−１】図１−１は、本発明の簡易型便吸引器具の使用状態を示した縮尺模式図
【図１−２】図１−２は、本発明の他の簡易型便吸引器具の使用状態を示した縮尺模式図
【図１−３】図１−３は、本発明の別の簡易型便吸引器具の使用状態を示した縮尺模式図
【図２】図２は、簡易型便吸引器具の全体平面図
【図３】図３は、簡易型便吸引器具の全体断面図
【図４】図４は、簡易型便吸引器具の要部で、容器と、口金、並びに導入管等の関係を示した拡大断面図
【図５】図５は、簡易型便吸引器具に採用される容器の一例を示した一部欠截の平面図
【符号の説明】
【００５０】
１      容器
１ａ      先端
１ｂ      後方
１ｃ      底
２      肛門挿入部
３      便収容部
５      開口
５ａ      鍔片
５ｂ      開口
７      ホルダー本体
８      筒部
８ａ      開口
９      グリップ部
１０ａ      ポンプ
１０ｂ      モータ
１１      導入管
１１ａ      開口
１１ｂ      差込み部
１１ｂ１      凹凸段部
１２      駆動部
１４      スイッチ
１５      コード
１７      排気管
１８      補助ハンドル
２０      逆止弁
２１      逆止弁
２２      のぞき窓
２３      操作杆
２５      口金
２５ａ      開口
２５ｂ      開口
２６      ノズル
２７      口部
２７ａ      凹凸絞り部
Ｈ      人
Ｈ１      肛門
【図１−１】
0005274062.tif 000002
【図１−２】
0005274062.tif 000003
【図１−３】
0005274062.tif 000004
【図２】
0005274062.tif 000005
【図３】
0005274062.tif 000006
【図４】
0005274062.tif 000007
【図５】
0005274062.tif 000008